(57)【要約】【課題】一方の角材に他方の角材を確実かつ容易に連結することができるとともに、部品点数を削減可能な連結金具を提供する。【解決手段】連結金具１０は、２本の角材１，２に跨るように形成され、一方の角材１を保持する第１保持部１１と、他方の角材２を保持する第２保持部１２とを有し、第１保持部１１及び第２保持部１２が断面コ字状に形成されるとともに、中間板部１３とその両側の両側板部１４とが形成され、これら両側板部１４が角材１，２の両側面１ａ，２ａに当接するように形成され、中間板部１３が両角材１，２の両側面１ａ，２ａの間の面１ｂ，２ｂに当接し、中間板部１３にファスナー挿通孔１５が形成されている。【選択図】図１
0003229948.tif 000002
【実用新案登録請求の範囲】
【請求項１】
２本の角材に跨るように形成され、一方の角材を保持する第１保持部と、他方の角材を保持する第２保持部とを有し、前記第１保持部及び前記第２保持部が断面コ字状に形成されるとともに、中間板部とその両側の両側板部とが形成され、これら両側板部が前記角材の両側面に当接するように形成され、
前記中間板部が前記角材の前記両側面の間の面に当接し、前記中間板部にファスナー挿通孔が形成されていることを特徴とする連結金具。
【請求項２】
前記中間板部の２片が直角に形成されていることを特徴とする請求項１に記載の連結金具。
【請求項３】
前記中間板部の２片が同一平面をなし、前記中間板部の２片がＬ字状に形成されていることを特徴とする請求項１に記載の連結金具。
【請求項４】
前記第１保持部及び前記第２保持部が同一直線上に一体に形成され、かつ前記中間板部及び前記両側板部がそれぞれ連続する平面に形成されていることを特徴とする請求項１に記載の連結金具。
【請求項５】
前記中間板部は、各片の端部にそれぞれ前記角材のいずれかに食い込んで係止する係止突部が形成されていることを特徴とする請求項１乃至４のいずれか一項に記載の連結金具。
【考案の詳細な説明】
【技術分野】
【０００１】
本考案は、一方の角材と他方の角材の双方に跨るようにして連結する連結金具に関する。
【背景技術】
【０００２】
従来、木材を連結する連結金具には、例えば特許文献１に記載された技術がある。この技術は、水平木材と柱木材を接合するに際し、その接合部分に配置される金具であって、上記水平木材を上方より挟み込む断面コ字状のベース金具と、上記柱木材下端部分を嵌め込む箱形受け金具とにより成り、両金具は可回動に連結するように構成されている。
【先行技術文献】
【特許文献】
【０００３】
【特許文献１】特開２００６−２３４１号公報
【考案の概要】
【考案が解決しようとする課題】
【０００４】
ところで、上記特許文献１に記載された技術は、上記ベース金具に上記箱形受け金具をボルト及びナットを用いて連結する構成であることから、一方の角材に他方の角材を連結するのに、その連結作業が面倒で手間がかかるという問題がある。加えて、上記ベース金具と上記箱形受け金具とが分離構成されていることから、その分、部品点数が多くなるという問題もある。
【０００５】
本考案は、上記事情を考慮してなされたものであり、一方の角材に他方の角材を確実かつ容易に連結することができるとともに、部品点数を削減可能な連結金具を提供することを目的とする。
【課題を解決するための手段】
【０００６】
上記課題を解決するため、請求項１に記載の考案は、２本の角材に跨るように形成され、一方の角材を保持する第１保持部と、他方の角材を保持する第２保持部とを有し、前記第１保持部及び前記第２保持部が断面コ字状に形成されるとともに、中間板部とその両側の両側板部とが形成され、これら両側板部が前記角材の両側面に当接するように形成され、前記中間板部が前記角材の前記両側面の間の面に当接し、前記中間板部にファスナー挿通孔が形成されていることを特徴とする。
【０００７】
また、請求項２に記載の考案は、請求項１に記載の構成に加え、前記中間板部の２片が直角に形成されていることを特徴とする。
【０００８】
また、請求項３に記載の考案は、請求項１に記載の構成に加え、前記中間板部の２片が同一平面をなし、前記中間板部の２片がＬ字状に形成されていることを特徴とする。
【０００９】
また、請求項４に記載の考案は、請求項１に記載の構成に加え、前記第１保持部及び前記第２保持部が同一直線上に一体に形成され、かつ前記中間板部及び前記両側板部がそれぞれ連続する平面に形成されていることを特徴とする。
【００１０】
また、請求項５に記載の考案は、請求項１乃至４のいずれか一項に記載の構成に加え、前記中間板部は、各片の端部にそれぞれ前記角材に食い込んで係止する係止突部が形成されていることを特徴とする。
【考案の効果】
【００１１】
請求項１に記載の考案によれば、一方の角材を保持する第１保持部と、他方の角材を保持する第２保持部とが断面コ字状に形成されるとともに、中間板部とその両側の両側板部とが形成され、これら両側板部が角材の両側面に当接するように形成され、中間板部が角材の両側面の間の面に当接し、中間板部にファスナー挿通孔が形成されているので、一方の角材に他方の角材を確実かつ容易に連結することができるとともに、部品点数を削減することが可能になる。
【００１２】
また、請求項２に記載の考案によれば、請求項１に記載の考案の効果に加え、中間板部の２片が直角に形成されていることにより、一方の角材に対して他方の角材を直角に連結することができる。
【００１３】
また、請求項３に記載の考案によれば、請求項１に記載の考案の効果に加え、中間板部の２片が同一平面をなし、前記中間板部の２片がＬ字状に形成されていることにより、一方の角材を立設した状態で他方の角材を直角に連結することができる。
【００１４】
また、請求項４に記載の考案によれば、請求項１に記載の考案の効果に加え、第１保持部及び第２保持部が同一直線上に一体に形成され、かつ中間板部及び両側板部がそれぞれ連続する平面に形成されているので、一方の角材に対して他方の角材を直線状に連結することができる。
【００１５】
また、請求項５に記載の考案によれば、請求項１乃至４のいずれか一項に記載の考案の効果に加え、中間板部は、各片の端部にそれぞれ角材に食い込んで係止する係止突部が形成されているので、中間板部を角材の両側面の間の面に確実に固定することができる。
【図面の簡単な説明】
【００１６】
【図１】第１実施の形態に係る連結金具を角材に取り付ける状態を示す斜視図である。
【図２】図１の連結金具を示す正面図である。
【図３】図１の連結金具を示す側面図である。
【図４】第２実施の形態に係る連結金具を角材に取り付ける状態を示す斜視図である。
【図５】図４の連結金具を他の方向から見た斜視図である。
【図６】第２実施の形態に係る連結金具の一方の連結金具を示す側面図である。
【図７】第２実施の形態に係る連結金具の他方の連結金具を示す側面図である。
【図８】第３実施の形態に係る連結金具を角材に取り付ける状態を示す斜視図である。
【図９】図８の連結金具を示す平面図である。
【図１０】図８の連結金具を示す側面図である。
【考案を実施するための形態】
【００１７】
以下、本考案の各実施の形態について、図面を参照して詳細に説明する。
【００１８】
図１は、第１実施の形態に係る連結金具を角材に取り付ける状態を示す斜視図である。図２は、図１の連結金具を示す正面図である。図３は、図１の連結金具を示す側面図である。
【００１９】
ここで、以下の各実施の形態の角材は、例えばツーバイフォー材が用いられ、このツーバイフォー材は、２×４工法と呼ばれる建築工法に使われる主要製材のことである。ツーバイフォー材は、基本となる角材の木口（断面）のサイズが２インチ×４インチ(正確には３８×８９ｍｍ)である。
【００２０】
［第１実施の形態］
図１〜図３に示すように、本実施の形態の連結金具１０は、一方の角材１と他方の角材２を跨るようにして連結するものである。連結金具１０は、２本の角材に跨るように鉄、鉄合金、アルミニウム合金等の金属から形成されている。連結金具１０は、一方の角材１を保持する第１保持部１１と、他方の角材２を保持する第２保持部１２とを有する。
【００２１】
第１保持部１１及び第２保持部１２は、それぞれ断面コ字状に形成され、かつ中間板部１３とその両側の両側板部１４とが形成されている。第１保持部１１及び第２保持部１２の各中間板部１３の２片は、直角に折り曲げて形成されている。また、各両側板部１４も、それぞれ中間板部１３に対して同一方向に直角に折り曲げて形成されている。各中間板部１３の２片は、それぞれ一方の角材１と他方の角材２の両側面１ａ，２ａの間の面１ｂ，２ｂに当接するように、これら両側面１ａ，２ａの間の面１ｂ，２ｂと略同一幅に形成されている。
【００２２】
各中間板部１３の２片は、それぞれ同一の長さを有する長方形状に形成されている。両側板部１４も、各中間板部１３の２片と略同一の長さを有している。各中間板部１３の２片は、ファスナーとして例えば木ネジ３を挿通するためのファスナー挿通孔１５がそれぞれ所定の間隔をあけて２つ形成されている。これらのファスナー挿通孔１５から木ネジ３を挿通して一方の角材１と他方の角材２の両側面１ａ，２ａの間の面１ｂ，２ｂにねじ込むことで、一方の角材１に他方の角材２が直角に固定される。
【００２３】
図２に示すように、各中間板部１３の２片は、それぞれの端部に係止突部１６が形成されている。これらの係止突部１６は、２つの突起が各中間板部１３の幅方向に沿って並んで形成されている。各中間板部１３の２片を一方の角材１と他方の角材２の両側面１ａ，２ａの間の面１ｂ，２ｂに木ネジ３でねじ込んで固定したとき、各係止突部１６は、それぞれ面１ｂ，２ｂに食い込むようになっている。
【００２４】
次に、本実施の形態の連結金具１０を２つ用いて２本の角材１，２を連結する連結方法について説明する。
【００２５】
なお、以下に説明する本実施の形態の連結順序は、一例であって別の連結順序に従って連結するようにしてもよい。その他の実施の形態についても同様である。
【００２６】
まず、１つ目の連結金具１０を用意し、他方の角材２の端部における両側面２ａの間の一方の面２ｂに、両側板部１４で他方の角材の両側面２ａを挟むようにして中間板部１３の１片を当接させる。そして、ファスナー挿通孔１５から木ネジ３を挿通して両側面２ａの間の一方の面２ｂにねじ込むことで、他方の角材２の端部における両側面２ａの間の一方の面２ｂ（図１において上面側）に中間板部１３の１片を固定する。
【００２７】
同様に、２つ目の連結金具１０を用意し、他方の角材２の端部における両側面２ａの間の他方の面２ｂに、両側板部１４で他方の角材の両側面２ａを挟むようにして中間板部１３の１片を当接させる。そして、ファスナー挿通孔１５から木ネジ３を挿通して両側面２ａの間の他方の面２ｂにねじ込むことで、他方の角材２の端部における両側面２ａの間の他方の面２ｂ（図１において下面側）に中間板部１３の１片を固定する。
【００２８】
次いで、１つ目の連結金具１０の中間板部１３の他の１片を他方の角材２の端面、すなわち木口を一方の角材１の両側面１ａの間の面１ｂに当接させるとともに、両側板部１４で一方の角材１の両側面１ａを挟むようにして中間板部１３の他の１片を面１ｂに当接させる。
【００２９】
これと同時に、２つ目の連結金具１０の中間板部１３の他の１片を一方の角材の両側面１ａの間の面１ｂに当接させるとともに、両側板部１４で一方の角材１の両側面１ａを挟むようにして中間板部１３の他の１片を面１ｂに当接させる。
【００３０】
そして、１つ目の連結金具１０の中間板部１３の他の１片のファスナー挿通孔１５から木ネジ３を挿通して両側面１ａの間の面１ｂにねじ込むことで、一方の角材１の両側面１ａの間の面１ｂに中間板部１３の他の１片を固定する。
【００３１】
次いで、２つ目の連結金具１０の中間板部１３の他の１片のファスナー挿通孔１５から木ネジ３を挿通して両側面１ａの間の面１ｂにねじ込むことで、一方の角材１の両側面１ａの間の面１ｂに中間板部１３の他の１片を固定する。
【００３２】
このようにして本実施の形態では、２つの連結金具１０を用いて一方の角材１の両側面１ａの間の面１ｂに横方向から他方の角材２の両側面２ａの間の面２ｂを直角に連結することが可能となる。したがって、本実施の形態では、一方の角材１と他方の角材２を平たい方向に載置した状態で、連結金具１０を２つ用いて直角に連結することができる。
【００３３】
なお、本実施形態の連結金具１０を２つ用いて角材１，２を連結する連結順序は、上述した順序に限らず、例えば一方の角材１の両側面１ａの間の面１ｂに２つの連結金具１０の中間板部１３の１片をそれぞれ他方の角材１の両側面１ａの幅の間隔分をあけて固定した後に、２つの連結金具１０の中間板部１３の１片の間に他方の角材２を差し込み、他方の角材２の両側面２ａの間の面２ｂに中間板部１３の他の１片を固定するようにしてもよい。
【００３４】
このように本実施の形態によれば、一方の角材１を保持する第１保持部１１と、他方の角材２を保持する第２保持部１２とが断面コ字状に形成されるとともに、中間板部１３とその両側の両側板部１４とが形成され、これら両側板部１４が両角材１，２の両側面に当接するように形成され、中間板部１３が両角材１，２の両側面１ａ，２ａ間の面１ｂ，２ｂに当接し、中間板部１３にファスナー挿通孔１５が形成されているので、一方の角材１に他方の角材２を確実かつ容易に連結することができるとともに、部品点数を削減することが可能になる。
【００３５】
また、本実施の形態によれば、中間板部１３の２片が直角に形成されていることにより、一方の角材１に対して他方の角材２を直角に連結することができる。
【００３６】
さらに、本実施の形態によれば、中間板部１３は、各片の端部にそれぞれ両角材１，２のいずれかに食い込んで係止する係止突部１６が形成されているので、中間板部１３を両角材１，２のいずれかの両側面１ａ，２ａの間の面１ｂ，２ｂに確実かつ強固に固定することができる。
【００３７】
［第２実施の形態］
図４は、第２実施の形態に係る連結金具を角材に取り付ける状態を示す斜視図である。図５は、図４の連結金具を他の方向から見た斜視図である。図６は、第２実施の形態に係る連結金具の一方の連結金具を示す側面図である。図７は、第２実施の形態に係る連結金具の他方の連結金具を示す側面図である。
【００３８】
図４〜図７に示すように、本実施の形態の連結金具２０ａ，２０ｂは、左右で対をなしている。左右の連結金具２０ａ，２０ｂは、それぞれ一方の角材１と他方の角材２を跨るように連結するものである。左右の連結金具２０ａ，２０ｂは、それぞれ２本の角材に跨るように鉄、鉄合金、アルミニウム合金等の金属から形成されている。左右の連結金具２０ａ，２０ｂは、それぞれ一方の角材１を保持する第１保持部２１ａ，２１ｂと、それぞれ他方の角材２を保持する第２保持部２２ａ，２２ｂと、を有する。
【００３９】
第１保持部２１ａ，２１ｂ及び第２保持部２２ａ，２２ｂは、それぞれ断面コ字状に形成されている。第１保持部２１ａ，２１ｂは、それぞれ中間板部２３ａ，２３ｂと、それら中間板部２３ａ，２３ｂの一側に設けられた幅狭側板部２４ａ，２４ｂと、それら中間板部２３ａ，２３ｂの他側に設けられた幅広側板部２５ａ，２５ｂと、が形成されている。幅広側板部２５ａ，２５ｂは、図６及び図７に示すようにそれぞれ幅狭側板部２４ａ，２４ｂよりも２倍以上の幅を有し、かつ若干長く形成されている。
【００４０】
第２保持部２２ａ，２２ｂは、それぞれ中間板部２３ａ，２３ｂと、それら中間板部２３ａ，２３ｂの両側に設けられた幅狭側板部２４ａ，２４ｂと、が形成されている。中間板部２３ａ，２３ｂは、それぞれ２片が同一平面をなし、かつＬ字状に形成されている。中間板部２３ａ，２３ｂは、それぞれ２片に跨って全体が同一の高さで突出するＬ字状の補強部２６ａ，２６ｂが一体に形成されている。中間板部２３ａ，２３ｂは、それぞれ１片につき２つのファスナー挿通孔２７が所定の間隔をあけて形成されている。これらのファスナー挿通孔２７は、ファスナーとして図１に示すような木ネジ３を挿通するための孔である。これらのファスナー挿通孔２７から木ネジ３を挿通して一方の角材１と他方の角材２の両側面１ａ，２ａの間の面１ｂ，２ｂにねじ込むことで、一方の角材１に他方の角材２が直角に固定される。
【００４１】
図６及び図７に示すように、中間板部２３ａ，２３ｂの各２片は、それぞれ端部に係止突部２８が形成されている。これらの係止突部２８は、前記第１の実施形態と同様に２つの突起が各中間板部１３の幅方向に沿って並んで形成されている。各中間板部２３ａ，２３ｂの各２片を一方の角材１と他方の角材２の両側面１ａ，２ａの間の面１ｂ，２ｂに木ネジ３でねじ込んで固定したとき、各係止突部１６は、面１ｂ，２ｂに食い込むようになっている。
【００４２】
次に、本実施の形態の対をなす連結金具２０ａ，２０ｂを用いて２本の角材を連結する連結方法について説明する。
【００４３】
本実施の形態では、図４及び図５に示すように、一方の角材１を立設し、他方の角材２を一方の角材１に対して直角に当接させ、その当接部分に連結金具２０ａ，２０ｂを配設しておく。
【００４４】
この状態では、図７に示す対をなす一方の連結金具２０ａにおいて、他方の角材２の端部における両側面２ａの間の一方の面２ｂに幅狭側板部２４ａで他方の角材の両側面２ａを挟むようにして中間板部２３ａの１片（下側）が当接している。
【００４５】
また、図７に示す対をなす一方の連結金具２０ａの中間板部２３ａの他の１片（上側）は、一方の角材１の両側面１ａの間の面１ｂに当接し、幅狭側板部２４ａと幅広側板布施２５ａで一方の角材の両側面１ａを挟むようにして中間板部２３ａの他の１片（図４及び図５において手前上側部分）を面１ｂに当接している。
【００４６】
同様に、図６に示す対をなす他方の連結金具２０ｂにおいて、他方の角材２の端部における両側面２ａの間の他方の面２ｂに幅狭側板部２４ａで他方の角材の両側面２ａを挟むようにして中間板部２３ｂの１片（下側）が当接している。
【００４７】
また、図６に示す対をなす他方の連結金具２０ｂの中間板部２３ｂの他の１片（上側）は、一方の角材１の両側面１ａの間の面１ｂに当接し、幅狭側板部２４ｂと幅広側板布施２５ｂで一方の角材の両側面１ａを挟むようにして中間板部２３ｂの他の１片（図４及び図５において奥上側部分）を面１ｂに当接している。
【００４８】
一方の連結金具２０ａの中間板部２３ａの他の１片（上側）のファスナー挿通孔２７と、他方の連結金具２０ｂの中間板部２３ｂの他の１片（上側）のファスナー挿通孔２７に木ネジ３を挿通して両側面１ａの間の一方の面１ｂにねじ込むことで、一方の角材１の両側面１ａの間の一方の面１ｂに中間板部２３ａ，２３ｂの他の１片（図４及び図５において手前及び奥の上側部分）を固定する。
【００４９】
そして、一方の連結金具２０ａの中間板部２３ａの１片（下側）のファスナー挿通孔２７と、他方の連結金具２０ｂの中間板部２３ｂの１片（下側）のファスナー挿通孔２７に木ネジ３を挿通して他方の角材２の両側面２ａの間の他方の面２ｂにねじ込むことで、他方の角材２の両側面２ａの間の他方の面２ｂに中間板部２３ａ，２３ｂの１片（図４及び図５において手前及び奥の下側部分）を固定する。
【００５０】
したがって、本実施の形態では、一方の角材１を立設し、他方の角材２を一方の角材１に対して直角に当接させ、その当接部分を連結金具２０ａ，２０ｂを用いて直角に連結することが可能となる。したがって、本実施の形態では、一方の角材１を立設し、他方の角材２を一方の角材１に対して直角に当接させた状態で、対をなす連結金具２０ａ，２０ｂを用いて双方の角材１，２を直角に連結することができる。
【００５１】
このように本実施の形態によれば、中間板部２３ａ，２３ｂの各２片が同一平面をなし、中間板部２３ａ，２３ｂの各２片がＬ字状に形成されていることにより、一方の角材１を立設した状態で他方の角材２を直角に連結することができる。
【００５２】
また、本実施の形態によれば、連結金具２０ａ，２０ｂの中間板部２３ａ，２３ｂにそれぞれ２片に跨って全体が同一の高さで突出するＬ字状の補強部２６ａ，２６ｂが一体に形成されているので、中間板部２３ａ，２３ｂの曲げ強度を高くすることができる。
【００５３】
［第３実施の形態］
図８は、第３実施の形態に係る連結金具を角材に取り付ける状態を示す斜視図である。図９は、図８の連結金具を示す平面図である。図１０は、図８の連結金具を示す側面図である。
【００５４】
図８〜図１０に示すように、本実施の形態の連結金具３０は、一方の角材１と他方の角材２を跨るように連結するものである。連結金具３０は、２本の角材に跨るように鉄、鉄合金、アルミニウム合金等の金属から形成されている。連結金具３０は、断面コ字状に一体に形成され、一方の角材１を保持する部分を第１保持部３１とし、他方の角材２を保持する部分を第２保持部３２とする。
【００５５】
連結金具３０は、中間板部３３とその両側の両側板部３４を有している。中間板部３３は、平板状に形成されている。両側板部３４は、中間板部３３に対して同一方向に直角に折り曲げて形成されている。中間板部３３は、一方の角材１と他方の角材２の両側面１ａ，２ａの間の面１ｂ，２ｂに当接するように、これら両側面１ａ，２ａの間の面１ｂ，２ｂと略同一幅に形成されている。
【００５６】
このように連結金具３０は、第１保持部３１及び第２保持部３２が同一直線上に一体に形成され、かつ中間板部３３及び両側板部３４がそれぞれ連続する平面に形成されている。
【００５７】
中間板部３３は、長方形状に形成され、両側板部３４も、中間板部３３と略同一の長さを有している。中間板部３３は、ファスナーとして例えば木ネジ３を挿通するためのファスナー挿通孔３５が所定間隔をあけて２つ形成されている。これらのファスナー挿通孔３５から木ネジ３を挿通して一方の角材１と他方の角材２の両側面１ａ，２ａの間の面１ｂ，２ｂにねじ込むことで、一方の角材１に他方の角材２が同一直線状に固定される。
【００５８】
図８及び図１０に示すように、中間板部３３には、その長さ方向に沿って全体が同一の高さで突出する矩形枠状の補強部３６ａが一体に形成されている。また、両側板部３４にも、全体が同一の高さで突出するコ字状の補強部３６ｂが一体に形成されている。
【００５９】
図９に示すように、中間板部３３は、その両端部に係止突部３７が形成されている。これらの係止突部３７は、前記第１実施の形態の係止突部１６と同様の構造及び機能であるため、その説明を省略する。
【００６０】
次に、本実施の形態の連結金具３０を２つ用いて２本の角材１，２を直線状に連結する連結方法について説明する。
【００６１】
図８に示すように、まず一方の角材１の木口に他方の角材２の木口を当接させ、その当接部分を覆うように２つの連結金具３０を互いに対称となる位置に配設しておく。
【００６２】
この状態では、２つの連結金具３０の第１保持部３１の中間板部３３が一方の角材１の端部における両側面１ａの間の面１ｂに当接するとともに、第１保持部３１の両側板部３４が一方の角材の両側面１ａを挟むように当接している。
【００６３】
同様に、２つの連結金具３０の第２保持部３２の中間板部３３が他方の角材２の端部における両側面２ａの間の面２ｂに当接するとともに、第２保持部３２の両側板部３４が他方の角材２の両側面２ａを挟むように当接している。
【００６４】
そして、２つの連結金具３０の第１保持部３１の中間板部３３のファスナー挿通孔３５と、第２保持部３２の中間板部３３のファスナー挿通孔３５に木ネジ３を挿通し、この木ネジ３を一方の角材１の両側面１ａの間の面１ｂと、他方の角材２の両側面２ａの間の面２ｂにねじ込むことで、一方の角材１の両側面１ａの間の一方の面１ｂに他方の角材２の両側面２ａの間の面２ｂが同一直線状に連結される。
【００６５】
このようにして本実施の形態では、２つの連結金具３０を用いて一方の角材１の端部における両側面１ａの間の面１ｂに他方の角材２の端部における両側面２ａの間の面２ｂを連結することで、一方の角材１に他方の角材２を同一直線状に連結することが可能となる。したがって、本実施の形態では、一方の角材１と他方の角材２を平たい方向に載置した状態で、連結金具３０を２つ用いて同一直線状に連結することができる。
【００６６】
このように本実施の形態によれば、第１保持部３１及び第２保持部３２が同一直線上に一体に形成され、かつ中間板部３３及び両側板部３４がそれぞれ連続する平面に形成されているので、一方の角材１に対して他方の角材２を同一直線状に連結することができる。
【００６７】
なお、以上説明した本実施の形態は、本考案の理解を容易にするために記載されたものであって、本考案を限定するために記載されたものではない。
【００６８】
例えば、上記各実施の形態では、角材としてツーバイフォー材を用いた例について説明したが、ツーバイフォー材に限らず他のサイズの角材でも適用することが可能である。
【００６９】
また、上記各実施の形態では、ファスナーとして木ネジ３を用いた例について説明したが、これに限定することなく、釘等を用いてもよい。
【００７０】
さらに、上記各実施の形態の連結金具を連結する構造に対応して組み合わせて使用することで、汎用性を向上させることができる。
【符号の説明】
【００７１】
１    一方の角材
１ａ  両側面
１ｂ  面
２    他方の角材
２ａ  両側面
２ｂ  面
３    木ねじ（ファスナー）
１０  連結金具
１１  第１保持部
１２  第２保持部
１３  中間板部
１４  側板部
１５  ファスナー挿通孔
１６  係止突部
２０ａ，２０ｂ  連結金具
２１ａ，２１ｂ  第１保持部
２２ａ，２２ｂ  第２保持部
２３ａ，２３ｂ  中間板部
２４ａ，２４ｂ  幅狭側板部
２５ａ，２５ｂ  幅広側板部
２６ａ，２６ｂ  補強部
２７  ファスナー挿通孔
２８  係止突部
３０  連結金具
３１  第１保持部
３２  第２保持部
３３  中間板部
３４  側板部
３５  ファスナー挿通孔
３６ａ，３６ｂ  補強部
３７  係止突部
【図１】
0003229948.tif 000003
【図２】
0003229948.tif 000004
【図３】
0003229948.tif 000005
【図４】
0003229948.tif 000006
【図５】
0003229948.tif 000007
【図６】
0003229948.tif 000008
【図７】
0003229948.tif 000009
【図８】
0003229948.tif 000010
【図９】
0003229948.tif 000011
【図１０】
0003229948.tif 000012